【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
移動式コンピュータシステムのユーザに対する広告の配信を容易にする方法であって、
地理的領域内の広告ゾーンを定義する段階と、
前記地理的領域にある道路を表すデータを含む地理データベースにおいて、前記地理的領域にある道路区分を表す各々のデータエントリを、前記データエントリによって表された道路区分が前記広告ゾーンのいずれにあるかを示すデータに関連づける段階と、
を含むことを特徴とする方法。
【請求項２】
前記広告ゾーンの階層を定義する段階を更に含み、前記広告ゾーンの階層は、少なくとも第１の層と第２の層とを含み、更に、前記第１の層の広告ゾーンの少なくとも一部は、前記第２の層の前記広告ゾーンの一部と重なり合うことを特徴とする請求項１に記載の方法。
【請求項３】
前記第２の層の前記広告ゾーンの各々と重なり合う前記第１の層の前記広告ゾーンの各々に参照符をつけるインデックスを定義する段階を更に含むことを特徴とする請求項２に記載の方法。
【請求項４】
広告メッセージを前記広告ゾーンの少なくとも一部に関連づける段階を更に含むことを特徴とする請求項１に記載の方法。
【請求項５】
前記広告メッセージを広告データベースに格納する段階を更に含むことを特徴とする請求項４に記載の方法。
【請求項６】
前記広告ゾーンが動的に形成されることを特徴とする請求項１に記載の方法。
【請求項７】
地理データのユーザに対する広告の配信を容易にする方法であって、
地理的領域内にあり、重なり合う少なくとも第１の層と第２の層とを含む広告エリアの階層を定義する段階と、
前記地理的領域にある道路を表すデータを含む地理データベースにおいて、前記地理的領域にある道路区分を表す各々のデータエントリを、前記データエントリによって表された道路区分が前記広告ゾーンのいずれにあるかを示すデータに関連づける段階と、
を含むことを特徴とする方法。
【請求項８】
前記第２の層の前記広告ゾーンと重なり合う前記第１の層の前記広告ゾーンに参照符をつけるインデックスを定義する段階を更に含むことを特徴とする請求項７に記載の方法。
【請求項９】
前記広告ゾーンは、アクセス可能性に基づくことを特徴とする請求項７に記載の方法。
【請求項１０】
前記広告ゾーンは、定義された位置からの運転距離に基づくことを特徴とする請求項７に記載の方法。
【請求項１１】
前記広告ゾーンは、定義された位置からの運転時間に基づくことを特徴とする請求項７に記載の方法。
【請求項１２】
前記広告ゾーンは、動的に形成されることを特徴とする請求項７に記載の方法。
【請求項１３】
地理的領域にある道路区分を表す道路区分データと、
前記道路区分に関連する広告ゾーンデータと、
を備えるコンピュータで読取可能な媒体に格納されている地理データベースであって、
前記広告ゾーンデータは、前記地理的領域が分割されている複数の広告ゾーンのいずれに前記道路区分データに表されている道路区分があるかを示すことを特徴とする地理データベース。
【請求項１４】
他の広告ゾーンを包含する広告ゾーンに参考符をつけるインデックスを更に備えることを特徴とする請求項１３に記載の前記地理データベース。
【請求項１５】
独立型ナビゲーションシステムに組み込まれていることを特徴とする請求項１３に記載の地理データベース。
【請求項１６】
エンドユーザのコンピュータシステムが地理関連のサービスを取得するナビゲーションサービスサーバに組み込まれていることを特徴とする請求項１３に記載の地理データベース。
【請求項１７】
広告ゾーンの複数の層のいずれに特定の広告ゾーンがあるかの表示を含むことを特徴とする請求項１３に記載の地理データベース。
【請求項１８】
ナビゲーション関連のサービスを提供する移動式コンピュータシステムのユーザに対して広告を配信する方法であって、
移動式コンピュータシステムが地理的領域内を移動する際に前記移動式コンピュータシステムの位置を決定する段階と、
前記地理的領域が分割されている複数の広告ゾーンのいずれに前記ユーザが位置するのかを決定する段階と、
前記広告ゾーンに関連する広告メッセージをユーザに対して提供する段階と、を含むことを特徴とする方法。
【請求項１９】
前記広告メッセージは、無線通信回線上で、ナビゲーションサービスサーバから前記移動式コンピュータシステムへ提供されることを特徴とする請求項１８に記載の方法。
【請求項２０】
地理的領域を通って移動する移動式コンピュータシステムのユーザに対して広告を提供する方法であって、
前記地理的領域内に広告エリアを定義する段階と、
広告メッセージを前記広告エリアに関連づける段階と、
前記移動式コンピュータシステムの各々に関して、前記移動式コンピュータシステムが前記地理的領域を通って移動する際に、前記移動式コンピュータシステムの現在位置を決定する段階と、
地理データベース用いて前記現在位置に基づいて前記移動式コンピュータシステムがどの道路区分ロードセグメントに位置しているかを決定し、前記移動式コンピュータシステム上の前記道路区分と協働する前記広告エリアを特定することによって、前記広告エリアのいずれに前記移動式コンピュータシステムが位置するかを特定する段階と、
前記移動式コンピュータシステムが位置する前記広告エリアに関連する広告メッセージを前記移動式コンピュータシステムへ配信する段階と、
を含むことを特徴とする方法。
【請求項２１】
前記広告エリアのいずれに前記移動式コンピュータシステムが位置するかを決定する段階の後に、前記広告エリアに関連する前記広告メッセージを決定する段階を更に含むことを特徴とする請求項２０に記載の方法。
【請求項２２】
前記配信する段階の後に、前記移動式コンピュータシステムのユーザインタフェースを介して前記広告メッセージを提供する段階を更に含むことを特徴とする請求項２１に記載の方法。
【請求項２３】
前記配信する段階の後に、前記移動式コンピュータシステムを介して前記広告メッセージを可聴的に提供する段階を更に含むことを特徴とする請求項２１に記載の方法。
【請求項２４】
前記配信する段階の後に、前記移動式コンピュータシステムを介して前記広告メッセージを視覚的に提供する段階を更に含むことを特徴とする請求項２１に記載の方法。
【請求項２５】
ナビゲーション関連のサービスを提供するコンピュータシステムのユーザに対して位置ベースの警告を配信する方法であって、
移動式コンピュータシステムが地理的領域内を移動する際に前記移動式コンピュータシステムの位置を決定する段階と、
前記地理的領域が分割されている複数のゾーンのいずれに前記移動式コンピュータシステムが位置するかを決定する段階と、
前記移動式コンピュータシステムのユーザへ前記ゾーンに関連する警告メッセージを提供する段階と、
を含むことを特徴とする方法。
【請求項２６】
前記警告メッセージは、悪天候に関連することを特徴とする請求項２５に記載の方法。
【請求項２７】
前記警告メッセージは、前記ゾーン内の交通状態に関連することを特徴とする請求項２５に記載の方法。
【請求項２８】
ナビゲーション関連のサービスを提供する移動式コンピュータシステムのユーザに対して広告を配信する方法であって、
移動式コンピュータシステムが地理的領域内を移動する際に前記移動式コンピュータシステムの位置を決定する段階と、
前記移動式コンピュータシステムの位置に関連する広告ゾーンを動的に形成する段階と、
前記広告ゾーンに関連する広告メッセージを前記ユーザに提供する段階と、
を含むことを特徴とする方法。